(57)【要約】【課題】収納ケース内の貯蔵物の乾燥を抑えることができる冷蔵庫を提供する。【解決手段】前面に開口部を有する第１貯蔵室５と、第１貯蔵室５に配して貯蔵物を収納するとともに前後にスライド自在に支持される収納ケース５ｃと、前記収納ケース内５ｃを上方から照明する照明装置３０と、を備えた冷蔵庫１であって、前記照明装置３０は光の出射面を長手方向ｎに沿って形成されるとともに、長手方向ｎを前後方向に配した状態と左右方向に配した状態との間を回動自在に配置される。【選択図】図５
2013015253.tif 000002
【特許請求の範囲】
【請求項１】
前面に開口部を有する第１貯蔵室と、第１貯蔵室に配して貯蔵物を収納するとともに前後にスライド自在に支持される収納ケースと、前記収納ケース内を上方から照明する照明装置と、を備えた冷蔵庫であって、
前記照明装置は光の出射面を長手方向に沿って形成されるとともに、長手方向を前後方向に配した状態と左右方向に配した状態との間を回動自在に配置されることを特徴とする冷蔵庫。
【請求項２】
前記出射面から斜め下方に光を出射することを特徴とする請求項１に記載の冷蔵庫。
【請求項３】
第１貯蔵室の上方に配される第２貯蔵室を備えるとともに、第１貯蔵室と第２貯蔵室との前端部を上下方向に仕切る横仕切部を有して前記横仕切部の後方で第１貯蔵室と第２貯蔵室とが連通し、前記照明装置を正面から見て前記横仕切部に重なる位置に配したことを特徴とする請求項１又は２に記載の冷蔵庫。
【請求項４】
第２貯蔵室の左右方向に隣接して第１貯蔵室の上方に配される第３貯蔵室を備えるとともに、第２貯蔵室と第３貯蔵室との前端部を左右方向に仕切る縦仕切部を有して前記縦仕切部の後方で第２貯蔵室と第３貯蔵室とが連通し、前記照明装置を縦仕切部に軸支したことを特徴とする請求項３に記載の冷蔵庫。
【請求項５】
第２貯蔵室及び第３貯蔵室の上壁を形成して発泡断熱材を充填した断熱壁を備え、前記縦仕切部と前記照明装置とを一体化した照明ユニットを前記断熱壁に装着したことを特徴とする請求項４に記載の冷蔵庫。
【発明の詳細な説明】
【技術分野】
【０００１】
本発明は、収納ケースを備えた冷蔵庫に関する。
【背景技術】
【０００２】
従来の冷蔵庫は扉により前面が開閉される複数の貯蔵室を備えている。貯蔵室の種類としては冷蔵保存する冷蔵室、冷凍保存する冷凍室、冷蔵室よりも高い温度で冷蔵保存する野菜室が備えられる。そして、冷凍室には前後にスライドして扉と一体的に出し入れされる収納ケースが設けられ、この収納ケース内に貯蔵物として冷凍物を収納する。
【０００３】
特許文献１に記載された冷蔵庫は引き出し式の収納ケースが冷凍室の内部に設けられている。冷凍室の上部には照明装置が配される。収納ケースを引き出すと、照明装置によって収納ケース内が照明され、貯蔵物を視認できるようになっている。
【先行技術文献】
【特許文献】
【０００４】
【特許文献１】特開２０１１−４７６４８号公報
【発明の概要】
【発明が解決しようとする課題】
【０００５】
しかし、特許文献１の冷蔵庫によると、暗い室内で収納ケースを大きく引き出した際に、照明装置によって冷凍室内が照明されているため収納ケース内の貯蔵物の視認性が悪くなるという問題があった。
【０００６】
本発明は、収納ケース内の貯蔵物の視認性を向上する冷蔵庫を提供することを目的とする。
【課題を解決するための手段】
【０００７】
上記目的を達成するために本発明は、前面に開口部を有する第１貯蔵室と、第１貯蔵室に配して貯蔵物を収納するとともに前後にスライド自在に支持される収納ケースと、前記収納ケース内を上方から照明する照明装置と、を備えた冷蔵庫であって、前記照明装置は光の出射面を長手方向に沿って形成されるとともに、長手方向を前後方向に配した状態と左右方向に配した状態との間を回動自在に配置されることを特徴とする。
【０００８】
この構成によると、貯蔵物を収納した収納ケースは前後にスライドに移動する。収納ケース内を上方から照明する照明装置は光の出射面を長手方向に沿って形成される。そして冷蔵庫を使用するユーザが収納ケースの引出量が小さい場合には長手方向を前後方向に配し、収納ケースの引出量が大きい場合は左右方向に配する。
【０００９】
また本発明は、前記出射面から斜め下方に光を出射することを特徴とする。この構成によると、出射面から出射された光によって収納ケース内が照明される。
【００１０】
また本発明は、第１貯蔵室の上方に配される第２貯蔵室を備えるとともに、第１貯蔵室と第２貯蔵室との前端部を上下方向に仕切る横仕切部を有して前記横仕切部の後方で第１貯蔵室と第２貯蔵室とが連通し、前記照明装置を正面から見て前記横仕切部に重なる位置に配したことを特徴とする。
【００１１】
また本発明は、第２貯蔵室の左右方向に隣接して第１貯蔵室の上方に配される第３貯蔵室を備えるとともに、第２貯蔵室と第３貯蔵室との前端部を左右方向に仕切る縦仕切部を有して前記縦仕切部の後方で第２貯蔵室と第３貯蔵室とが連通し、前記照明装置を縦仕切部に軸支したことを特徴とする。
【００１２】
また本発明は、第２貯蔵室及び第３貯蔵室の上壁を形成して発泡断熱材を充填した断熱壁を備え、前記縦仕切部と前記照明装置とを一体化した照明ユニットを前記断熱壁に装着したことを特徴とする。
【発明の効果】
【００１３】
本発明によると、照明装置が出射面の長手方向に沿って形成され、長手方向を前後方向と左右方向とに回動自在に配置されるので、収納ケース内の貯蔵物の視認性を向上する冷蔵庫を提供することができる。
【図面の簡単な説明】
【００１４】
【図１】本発明の実施形態の冷蔵庫を示す正面図
【図２】本発明の実施形態の冷蔵庫を示す側面断面図
【図３】本発明の実施形態の冷凍室の前部を示す側面断面図
【図４】本発明の実施形態の冷凍室の正面図
【図５】本発明の実施形態の照明ユニットを示す斜視図
【図６】本発明の実施形態の照明ユニットを示す斜視図
【図７】本発明の実施形態の照明ユニットを示す斜視図
【発明を実施するための形態】
【００１５】
以下に本発明の実施形態を図面を参照して説明する。図１及び図２は本実施形態の冷蔵庫を示す正面図及び側面断面図である。図１に示す冷蔵庫１は本体部を形成する断熱箱体２を備える。最上段の冷蔵室３は貯蔵物を冷蔵保存し、前面の開口部３ａは両開きの扉３Ｌ、３Ｒにより開閉され、貯蔵物を冷蔵保存する。
【００１６】
最下段は引き出し式の野菜室４が備えられる。野菜室４は貯蔵物を冷蔵室３よりも高温の冷蔵温度で冷蔵保存し、野菜や果物などを収納する。野菜室４の前面の開口部４ａは収納ケース４ｃと一体に形成された引き出し式の扉４ｂにより開閉される。
【００１７】
野菜室４の上方には引き出し式の冷凍室５（第１貯蔵室）が設けられる。冷凍室５の前面の開口部５ａは収納ケース５ｃと一体に形成された引き出し式の扉５ｂにより開閉される。
【００１８】
冷凍室５の左上方には引き出し式の製氷室６（第２貯蔵室）が備えられる。製氷室６では製氷ケース６ｃを介して氷を製氷し、製氷室６の前面の開口部６ａは引き出し式の扉６ｂにより開閉される。
【００１９】
製氷室６の右方には引き出し式の冷凍室５よりも容積が小さい冷凍室７（第３貯蔵室）が備えられる。冷凍室７の前面の開口部７ａは収納ケース７ｃと一体に形成された引き出し式の扉７ｂにより開閉される。
【００２０】
冷蔵庫１は圧縮機と熱交換器を含む図示しない冷凍サイクルが冷気を生成し、その冷気がダクトを通じて各室に分配され、各室において必要とされる冷蔵温度または冷凍温度が得られる仕組みである。
【００２１】
図３、図４は冷凍室５の前部を示す側面断面図、正面図である。開口部５ａの上部には左右の側壁まで伸びて冷凍室５と製氷室６及び冷凍室７との前端部を上下方向に仕切る横仕切部４０を有している。また、横仕切部４０の後方で冷凍室５、製氷室６及び冷凍室７とが連通している。
【００２２】
縦仕切部４１は製氷室６と冷凍室７との前端部を左右方向に仕切る。縦仕切部４１の後方では製氷室６と冷凍室７とが連通している。断熱壁４３は製氷室６及び冷凍室７の上壁を形成して発泡断熱材が充填される。また、冷蔵庫１を正面から見て横仕切部４０に重なる位置に照明装置３０が配される。
【００２３】
図５は縦仕切部４１と照明装置３０とを一体化した照明ユニット４２を示す分解斜視図である。縦仕切部４１は右縦仕切部４１ａと中央縦仕切部４１ｂと左縦仕切部４１ｃとからなる。樹脂成型品から成る右縦仕切部４１ａ及び左縦仕切部４１ｃは上下及び前後に伸びたＬ字状に形成され、ねじ穴４１ｄにネジ（不図示）を螺合して断熱層となる中央縦仕切部４１ｂを挟み込む。
【００２４】
縦仕切部４１の下部には照明装置３０が取り付けられる。照明装置３０はＬＥＤホルダ３０ａ、ＬＥＤ基盤３０ｂ、カバー３０ｃを備えている。ＬＥＤ基盤３０ｂは複数のＬＥＤ３０ｆを一方向に並べて実装され、配線３０ｄが接続される。
【００２５】
ＬＥＤホルダ３０ａは樹脂形成品から成り、ＬＥＤ基盤３０ｂを保持する。また、ＬＥＤホルダ３０ａはＬＥＤ３０ｆの発光面が斜め下方を向くようにＬＥＤ基盤３０ｂを保持する。カバー３０ｃは透明樹脂やガラス等により形成され、ＬＥＤ３０ｆの発光面に面して配されてＬＥＤ基盤３０ｂの開口面を塞ぐ。カバー３０ｃによって照明装置３０の照明光の出射面が形成される。
【００２６】
これにより、照明装置３０は照明光の出射面を長手方向ｎに沿って形成され、出射方向Ｓが斜め下方に形成される。
【００２７】
ＬＥＤホルダ３０ａの一端には軸受部３０ｅが設けられる。軸受部３０ｅが縦仕切部４１の下端に設けた軸部（不図示）に嵌合して照明装置３０が回動自在に軸支される。これにより、照明装置３０は図６に示すように長手方向ｎを前後方向に配した状態と、図７に示すように左右方向に配した状態とを回動する。
【００２８】
冷凍室５の収納ケース５ｃを引き出すと、照明装置３０が点灯する。収納ケース５ｃの引出量が小さい場合は図６に示すように照明装置３０の長手方向ｎを前後方向に配して収納ケース５ｃの内部が照明される。これにより、収納ケース５ｃの後部まで照明することができ、収納ケース５ｃ内の貯蔵物を良好に視認することができる。
【００２９】
収納ケース５ｃの引出量が大きくなると、使用者によって図７に示すように照明装置３０を回動して長手方向ｎが左右方向に配される。これにより、照明装置３０の出射光は斜め前方の収納ケース５ｃ内を照明する。従って、暗い室内で収納ケース５ｃ内の貯蔵物を容易に視認することができる。
【００３０】
本実施形態によると、照明装置３０は光の出射面３０ｃを長手方向ｎに沿って形成されるとともに、長手方向ｎを前後方向に配した状態と左右方向に配した状態との間を回動自在に配される。これにより、収納ケース５ｃの引出量が小さい場合は照明装置３０の長手方向ｎを前後方向に配して収納ケース５ｃの後部まで照明することができる。また、収納ケース５ｃの引出量が大きい場合は長手方向ｎを左右方向に配することによって収納ケース５ｃ内を照明することができる。従って、収納ケース５ｃ内の貯蔵物の視認性を向上することができる。
【００３１】
また、出射面３０ｃから斜め下方に光を出射するため、冷凍室５の開口面５ａに対して前方に配した収納ケース５ｃ内を確実に照明することができる。
【００３２】
また、横仕切部４０の後方で冷凍室５と製氷室６とが連通し、照明装置３０を正面から見て横仕切部４０に重なる位置に配した。これにより、横仕切部４０の後方のデッドスペースを有効活用することができる。
【００３３】
また、縦仕切部４１を有して縦仕切部４１の後方で製氷室６と冷凍室７とが連通し、照明装置３０を縦仕切部４１に軸支した。これにより、照明装置３０を容易に取り付けることができるとともに、左右方向の略中央部に設置して収納ケース５ｃの視認性をより向上することができる。
【００３４】
また、縦仕切部４１と照明装置３０とを一体化した照明ユニット４２を断熱壁４３に装着した。このため、照明装置３０を容易に取り付けることができ、作業効率が向上する。
【産業上の利用可能性】
【００３５】
本発明によると、スライド式の収納ケースを備えた冷蔵庫に利用することができる。
【符号の説明】
【００３６】
１      冷蔵庫
３      冷蔵室
４      野菜室
５      冷凍室（第１貯蔵室）
６      製氷室（第２貯蔵室）
７      冷凍室（第３貯蔵室）
３０    照明装置
４０    横仕切部
４１    縦仕切部
４２    照明ユニット
【図１】
2013015253.tif 000003
【図２】
2013015253.tif 000004
【図３】
2013015253.tif 000005
【図４】
2013015253.tif 000006
【図５】
2013015253.tif 000007
【図６】
2013015253.tif 000008
【図７】
2013015253.tif 000009